(57)【要約】      （修正有）【課題】張り具合の調整が便利なスライド装置を提供する。【解決手段】張り具合の調整が便利なスライド装置であり、スライドレール部品7及びプッシュ・プルの力によってスライドレール7の溝でスライドできるプッシュ・プル部品9を有する構成とし、スライドレール部品7は主体部分79及び主体部分79の両サイドに固定設置した、前後対称のセッティングプレート61が取り付けられたプーリーーボックス71からなり、セッティングプレート61ごとに外向き弯曲する調節装置62が設置され、プーリーーボックス71にあるプーリー711が溝を密閉にするベルト8に巻かれ、プーリー711の回転軸は回転可能の方式でセッティングプレート61に設置され、ガイド密閉ベルト8の上部が溝の上側スリット702の中に縦方向で伸び溝を密閉する。【選択図】図１
2017206951.tif 000002
【特許請求の範囲】
【請求項１】
張り具合の調整が便利なスライド装置であり、スライドレール部品（7）及びプッシュ・プルの力によってスライドレール（7）の溝でスライドできるプッシュ・プル部品（9）を有する構成とし、スライドレール部品（7）は主体部分（79）及び主体部分（79）の両サイドに固定設置した、それぞれに前後対称のセッティングプレート（61）が取り付けられたプーリーーボックス（71）からなり、セッティングプレート（61）ごとに外向き弯曲する調節措置（62）が設置され、プーリーーボックス（71）にあるプーリー（711）が溝を密閉にするベルト（8）に巻かれ、プーリー（711）の回転軸は回転可能の方式でセッティングプレート（61）に設置され、ガイド密閉ベルト（8）の上部が溝の上側スリット（702）にて縦方向で伸び、よって溝を密閉し、溝密閉ベルト（8）の下部が溝の下側スリット（701）にて縦方向で伸び、且つ、プッシュプル部品（9）ボトム部にある穴（90）を通し、スライドレール部品（7）の縦方向にプッシュプル部品（9）ボトム部が細くなり、狭部が形成され、なお縦方向に直交する切断面にて溝下側スリット（701）にマッチする突出ロッキング装置（98）及び溝の上側スリット（702）にマッチする延長部分（99）が形成され、その中に、溝密閉ベルト（8）上部の両サイドはそれぞれ相応の一方向駆動ケーシング部（81）と固定接続し、スライドできるようにそれぞれの一方向駆動ケーシング部（81）にあるスリット（810）部は、狭部の隣傍に固定設置する関連プランジャ部（91）のヘッド部分膨大部（92）とマッチし、 よってヘッド部分膨大部（92）が狭部に近い一方向駆動ケーシング部（81）の側壁との間に作用力の接合面が形成され、かつ、狭部に遠い一方向駆動ケーシング部（81）の側壁との間にスリットが形成され、よってプッシュプル部品（9）がプッシュ・プルの力を受ける際に、該当の一方向駆動ケーシング部（81）の作用力接合面を通じて溝密閉ベルト（8）が引っ張られ、この時に、もう一つの一方向駆動ケーシング部（81）のプランジャ部（91）が自由な相対的スライド状態にある。それぞれのプーリーボックス（71）のトッププレート内側後部にはいずれもロッキング措置（21）が設置され、それぞれの一方向駆動ケーシング部（81）外側にはアウトサイド緩衝措置（24）、内側下部にはインサイド緩衝措置（25）が設置され、アウトサイド緩衝措置（24）はロッキング措置（21）と接触し緩衝効果を果たし、インサイド緩衝措置（25）は狭部両サイドと接触し緩衝効果を果たすことを特徴とするスライド装置。
【請求項２】
請求項1記載の張り具合の調整が便利なスライド装置であり、その中、狭部のそれぞれのサイドと該当する一方向駆動ケーシング部（81）との間にストレッチ保護カバー（93）で接続されることを特徴とするスライド装置。
【請求項３】
請求項1または2記載の張り具合の調整が便利なスライド装置であり、その中、スライドレール部品（7）上部スリット（702）の上側エッジ部分に設置したロッキング突出部（77）によって溝密閉ベルト（8）へのロッキングを果たすことを特徴とするスライド装置。
【発明の詳細な説明】
【技術分野】
【０００１】
本発明はスライド装置分野に関係する張り具合の調整が便利なスライド装置である。
【背景技術】
【０００２】
今までの技術に関連する分野と言えば、建築物にスライドドアを設置するなどスライドレールを備えたスライド装置が必要されるのが一般的である。これらのスライド措置の安定な動きを維持するために、強固な溝の設置によってその動きをリードするのが必要である。しかし、長期にわたって利用される溝に外部から侵入する汚染物がそのボトム部分に溜まり、スライド措置の動きが影響され、使用寿命も短縮し、丈夫さとスムーズさを失ってしまう。同時にメンテナンス、清掃作業の難易度も上がる。且つ、一部の溝の保護措置が不完全で、作業の利便性を欠いている。利用時にプッシュプル部品または溝との干渉も存在していた。
【先行技術文献】
【特許文献】
【０００３】
【特許文献１】特開平８−２８２２９１号公報
【発明の概要】
【発明が解決しようとする課題】
【０００４】
本発明の目的とは、張り具合の調整が便利なスライド装置を提供し、既存技術の欠陥を克服することである。
【課題を解決するための手段】
【０００５】
張り具合の調整が便利なスライド装置であり、スライドレール部品及びプッシュ・プルの力によってスライドレールの溝でスライドできるプッシュ・プル部品を有する構成とし、スライドレール部品は主体部分及び主体部分の両サイドに固定設置した、それぞれに前後対称のセッティングプレートが取り付けられたプーリーーボックスからなり、セッティングプレートごとに外向き弯曲する調節措置が設置され、プーリーボックスにあるプーリーが溝を密閉にするベルトに巻かれ、プーリーの回転軸は回転可能の方式でセッティングプレートに設置され、ガイド密閉ベルトの上部が溝の上側スリットにて縦方向で伸び、よって溝を密閉し、溝密閉ベルトの下部が溝の下側スリットにて縦方向で伸び、且つ、プッシュプル部品ボトム部にある穴を通し、スライドレール部品の縦方向にプッシュプル部品ボトム部が細くなり、狭部が形成され、なお縦方向に直交する切断面にて溝下側スリットにマッチする突出ロッキング装置及び溝の上側スリットにマッチする延長部分が形成され、その中に、溝密閉ベルト上部の両サイドはそれぞれ相応の一方向駆動ケーシング部と固定接続し、スライドできるようにそれぞれの一方向駆動ケーシング部にあるスリット部は、狭部の隣傍に固定設置する関連プランジャ部のヘッド部分膨大部とマッチし、 よってヘッド部分膨大部が狭部に近い一方向駆動ケーシング部の側壁との間に作用力の接合面が形成され、かつ、狭部に遠い一方向駆動ケーシング部の側壁との間にスリットが形成され、よってプッシュプル部品がプッシュ・プルの力を受ける際に、該当の一方向駆動ケーシング部の作用力接合面を通じて溝密閉ベルトが引っ張られ、この時に、もう一つの一方向駆動ケーシング部のプランジャ部が自由な相対的スライド状態にある。それぞれのプーリーボックスのトッププレート内側後部にはいずれもロッキング措置が設置され、それぞれの一方向駆動ケーシング部外側にはアウトサイド緩衝措置、内側下部にはインサイド緩衝措置が設置され、アウトサイド緩衝措置はロッキング措置と接触し緩衝効果を果たし、インサイド緩衝措置は狭部両サイドと接触し緩衝効果を果たす。
【０００６】
前述の自由な相対的スライド状態とは、プランジャは一方向に力を受けるケーシング部に相対して自由にスリット部へスライド可能とのこと。
【発明の効果】
【０００７】
プッシュプル部品の左右スライドによってリアルタイムでプッシュプル部品両サイドの保護ベルト長さを調整できる回転式保護ベルトを採用したため、プッシュプル部品のスライドによって常に変化する両サイドのレールの長さをリアルタイムで確保可能、プッシュプル部品に影響しないことを前提とし溝への効果的保護を実現し、外部の汚染物が溝に溜まることも防げる。プッシュプル部品両サイドに一方向受力ケーシング部の設置を通じ、プッシュプル部品がプッシュ・プルの力で動く際に、保護ベルトにはプルの力だけを加えられ、相対側にプッシュの力を与えることなく、よって保護ベルトには有効な引張力が形成され、ベルトの突起を引き起こすプッシュ力がないため、保護ベルトの縦方向の精度が保たれ、溝の密閉効果が確保される上、プッシュプル部品の動きへの干渉も避けられる。プッシュプル部品ボトム部狭部の設置によって一方向受力ケーシング部の容置空間を確保、プッシュプル部品全体の動きが両サイドのボックスに干渉・影響されず、かつ、利用時に外部物体との接触も回避される。狭部に穴の設置によって保護ベルトがプッシュプル部品を通し、相互協調的に動ける作動回路が作られた。保護ベルト上部をスライドレールのスリットに設置することで、スリットとの隙間なくマッチングによって汚染物をブロックできる密閉性が実現され、その同時にこのスリットが狭部の他の直交方向に突出部分とのマッチを利用してプッシュプル部品の動きをリードする。なお下部の突出部が溝ボトムのスリットとのマッチを利用し、プッシュプル部品が作動において転覆しないことを確保。
【図面の簡単な説明】
【０００８】
【図１】本発明のスライド措置の全体構造図。
【図２】図1の措置の俯瞰図。
【図３】図1の措置であるプッシュプル部品中間位置の部分断面図。
【図４】図1の一方向駆動ケーシング部の部分拡大図。
【発明を実施するための形態】
【０００９】
以下、本発明の実施の形態について図面を参照して説明する。
【００１０】
本発明実施例である張り具合の調整が便利なスライド装置は、，スライドレール部品7及びプッシュ・プルの力によってスライドレール7の溝でスライドできるプッシュ・プル部品9を有する構成とし、スライドレール部品7は主体部分79及び主体部分79の両サイドに固定設置した、それぞれに前後対称のセッティングプレート61が取り付けられたプーリーーボックス71からなり、セッティングプレート61ごとに外向き弯曲する調節措置62が設置され、プーリーーボックス71にあるプーリー711が溝を密閉にするベルト8に巻かれ、プーリー711の回転軸は回転可能の方式でセッティングプレート61に設置され、ガイド密閉ベルト8の上部が溝の上側スリット702にて縦方向で伸び、よって溝を密閉し、溝密閉ベルト8の下部が溝の下側スリット701にて縦方向で伸び、且つ、プッシュプル部品9ボトム部にある穴90を通し、スライドレール部品7の縦方向にプッシュプル部品9ボトム部が細くなり、狭部が形成され、なお縦方向に直交する切断面にて溝下側スリット701にマッチする突出ロッキング装置98及び溝の上側スリット702にマッチする延長部分99が形成され、その中に、溝密閉ベルト8上部の両サイドはそれぞれ相応の一方向駆動ケーシング部81と固定接続し、スライドできるようにそれぞれの一方向駆動ケーシング部81にあるスリット810部は、狭部の隣傍に固定設置する関連プランジャ部91のヘッド部分膨大部92とマッチし、 よってヘッド部分膨大部92が狭部に近い一方向駆動ケーシング部81の側壁との間に作用力の接合面が形成され、かつ、狭部に遠い一方向駆動ケーシング部81の側壁との間にスリットが形成され、よってプッシュプル部品9がプッシュ・プルの力を受ける際に、該当の一方向駆動ケーシング部81の作用力接合面を通じて溝密閉ベルト8が引っ張られ、この時に、もう一つの一方向駆動ケーシング部81のプランジャ部91が自由な相対的スライド状態にある。それぞれのプーリーボックス71のトッププレート内側後部にはいずれもロッキング措置21が設置され、それぞれの一方向駆動ケーシング部81外側にはアウトサイド緩衝措置24、内側下部にはインサイド緩衝措置25が設置され、アウトサイド緩衝措置24はロッキング措置21と接触し緩衝効果を果たし、インサイド緩衝措置25は狭部両サイドと接触し緩衝効果を果たす。
【００１１】
実施例に基づき、可能な選択肢として、狭部のそれぞれのサイドと該当する一方向駆動ケーシング部81との間にストレッチ保護カバー93で接続するのが可能。
【００１２】
実施例に基づき、事例として、スライドレール部品7上部スリット702の上側エッジ部分にロッキング突出部77を設置することによって溝密閉ベルト（8）へのロッキング効果を実現可能。
【００１３】
プッシュプル部品の左右スライドによってリアルタイムでプッシュプル部品両サイドの保護ベルト長さを調整できる回転式保護ベルトを採用したため、プッシュプル部品のスライドによって常に変化する両サイドのレールの長さをリアルタイムで確保可能、プッシュプル部品に影響しないことを前提とし溝への効果的保護を実現し、外部の汚染物が溝に溜まることも防げる。プッシュプル部品両サイドに一方向受力ケーシング部の設置を通じ、プッシュプル部品がプッシュ・プルの力で動く際に、保護ベルトにはプルの力だけを加えられ、相対側にプッシュの力を与えることなく、よって保護ベルトには有効な引張力が形成され、ベルトの突起を引き起こすプッシュ力がないため、保護ベルトの縦方向の精度が保たれ、溝の密閉効果が確保される上、プッシュプル部品の動きへの干渉も避けられる。プッシュプル部品ボトム部狭部の設置によって一方向受力ケーシング部の容置空間を確保、プッシュプル部品全体の動きが両サイドのボックスに干渉・影響されず、かつ、利用時に外部物体との接触も回避される。狭部に穴の設置によって保護ベルトがプッシュプル部品を通し、相互協調的に動ける作動回路が作られた。保護ベルト上部をスライドレールのスリットに設置することで、スリットとの隙間なくマッチングによって汚染物をブロックできる密閉性が実現され、その同時にこのスリットが狭部の他の直交方向に突出部分とのマッチを利用してプッシュプル部品の動きをリードする。なお下部の突出部が溝ボトムのスリットとのマッチを利用し、プッシュプル部品が作動において転覆しないことを確保。
【００１４】
プッシュプル部品の左右スライドによってリアルタイムでプッシュプル部品両サイドの保護ベルト長さを調整できる回転式保護ベルトを採用したため、プッシュプル部品のスライドによって常に変化する両サイドのレールの長さをリアルタイムで確保可能、プッシュプル部品に影響しないことを前提とし溝への効果的保護を実現し、外部の汚染物が溝に溜まることも防げる。プッシュプル部品両サイドに一方向受力ケーシング部の設置を通じ、プッシュプル部品がプッシュ・プルの力で動く際に、保護ベルトにはプルの力だけを加えられ、相対側にプッシュの力を与えることなく、よって保護ベルトには有効な引張力が形成され、ベルトの突起を引き起こすプッシュ力がないため、保護ベルトの縦方向の精度が保たれ、溝の密閉効果が確保される上、プッシュプル部品の動きへの干渉も避けられる。プッシュプル部品ボトム部狭部の設置によって一方向受力ケーシング部の容置空間を確保、プッシュプル部品全体の動きが両サイドのボックスに干渉・影響されず、かつ、利用時に外部物体との接触も回避される。狭部に穴の設置によって保護ベルトがプッシュプル部品を通し、相互協調的に動ける作動回路が作られた。保護ベルト上部をスライドレールのスリットに設置することで、スリットとの隙間なくマッチングによって汚染物をブロックできる密閉性が実現され、その同時にこのスリットが狭部の他の直交方向に突出部分とのマッチを利用してプッシュプル部品の動きをリードする。なお下部の突出部が溝ボトムのスリットとのマッチを利用し、プッシュプル部品が作動において転覆しないことを確保。前述プランを通じ実現。措置全体は安定、スムーズに作動可能、溝が外部汚染物の侵入によってメンテナンス困難な状況を防げる。
【００１５】
本発明全体的精神及び考え方から逸脱しないことを前提に、以上実施例の各変形例を製作できることは当該分野の技術者によって明確された。いずれも本発明に関する保護範囲に含まれるものである。本発明の保護に関し、本発明に添付した特許請求範囲に準ずる。
【符号の説明】
【００１６】
７  スライドレール部品
８  ベルト
９  プッシュ・プル部品
２１  ロッキング措置
２４  アウトサイド緩衝措置
２５  インサイド緩衝措置
６１  セッティングプレート
６２  調節措置
７１  プーリーーボックス
【図１】
2017206951.tif 000003
【図２】
2017206951.tif 000004
【図３】
2017206951.tif 000005
【図４】
2017206951.tif 000006